(57)【要約】【課題】画像とコンテンツへのアクセス情報を埋め込んだ二次元コードをプリントした写真プリントの再注文を携帯通信端末から簡単に行うことを可能にするシステムを提供する。【解決手段】パソコン１から注文内容情報を入力した注文者が携帯電話機６のアドレスを登録しておけば（Ｓ１）、後で携帯電話機６を用いて一覧情報を受信し（Ｓ２４）、一覧情報の注文日時を指定してサムネイル画像を閲覧でき（Ｓ２７）、またその画像に対応する音声も受信できるため（Ｓ３１）、どの画像とどのコンテンツが対応した写真プリントを注文したのかを携帯通信端末で容易に確認できる。【選択図】  図１４
2006085589.tif 000002
【特許請求の範囲】
【請求項１】
音声を含むコンテンツにアクセスするためのアクセス情報が埋め込まれた二次元コードが元画像とともにプリントされた写真プリントを注文するための注文内容情報を前記写真プリントの再注文用に管理する注文管理システムであって、
前記元画像と前記コンテンツとを対応づけた注文内容情報の入力を受け付ける注文受付部と、
注文者の使用する携帯通信端末のアドレスの登録を受け付ける登録部と、
前記元画像を前記携帯通信端末で閲覧可能なように所定の縮小率で縮小した縮小画像を作成する第１作成部と、
前記写真プリントの注文者を識別する注文者識別情報と前記注文内容情報と前記注文内容情報を一意に識別する注文識別情報と前記縮小画像とを対応づけた注文情報を記憶する第１記憶部と、
前記注文者識別情報と前記登録された携帯通信端末のアドレスとを対応づけた注文者情報を記憶する第２記憶部と、
前記携帯通信端末から注文者識別情報の指定を受け付ける注文者識別情報指定部と、
前記指定された注文者識別情報を含む注文情報を前記第１記憶部から抽出する注文情報抽出部と、
前記抽出された注文情報の一部又は全部を前記携帯通信端末で一覧表示させる一覧情報を作成する第２作成部と、
前記指定された注文者識別情報に対応するアドレスを前記第２記憶部から特定するアドレス特定部と、
前記一覧情報を前記特定されたアドレスに送信する第１送信部と、
前記携帯通信端末に送信された一覧情報の中から注文情報の指定を受け付ける注文情報指定部と、
前記指定された注文情報に含まれる縮小画像を前記特定されたアドレスに送信する第２送信部と、
前記縮小画像の選択に応じて前記縮小画像に対応するコンテンツを前記携帯通信端末に送信する第２送信部と、
を備える注文管理システム。
【請求項２】
前記指定された注文情報の変更を前記携帯通信端末から受け付ける変更受付部と、
前記変更に従って前記第１記憶部の注文情報を更新する更新部と、
をさらに備える請求項１に記載の注文管理システム。
【請求項３】
前記注文情報は前記コンテンツの再生期間を含み、
前記変更受付部は前記コンテンツの再生期間の変更を受け付ける請求項２に記載の注文管理システム。
【請求項４】
前記指定された注文情報に従ってプリントする写真プリントの枚数の指定を前記携帯通信端末から受け付ける枚数指定部をさらに備える請求項１〜３のいずれかに記載の注文管理システム。
【請求項５】
前記注文受付部はテンプレート画像の指定を受け付け、
前記注文情報は前記指定されたテンプレート画像の識別情報を含み、
前記第１作成部は前記注文情報によって対応する元画像と前記指定されたテンプレート画像とを合成した合成画像を所定の縮小率で縮小した縮小画像を作成する請求項１〜４のいずれかに記載の注文管理システム。
【発明の詳細な説明】
【技術分野】
【０００１】
本発明は注文管理システムに係り、特に画像と音声などのコンテンツへのアクセス情報を埋め込んだ二次元コードとを対応させた注文情報を管理する注文管理システムに関する。
【背景技術】
【０００２】
従来、バーコードを読み取って画像や文字などのコンテンツを配信する情報システムが考案されている。例えば特許文献１の情報提供システムは、バーコードが印刷されたカード、葉書、ポスター、雑誌などの表示媒体と、バーコードを読み取るバーコードリーダと、読み取られた情報を送信し、返送された情報を表示・出力する端末装置と、端末装置と通信ネットワークを介して接続しバーコードに対応する情報を保存・蓄積する配信情報データベースと、カードなどの表示媒体の作成を申し込む手段と、返送する情報をデータベースに登録・保存する手段と、バーコードに対応する情報を端末装置に送信する手段と、ユニークなバーコードの生成手段とを備えている。
【特許文献１】特開２００２−３１２２６９号公報
【発明の開示】
【発明が解決しようとする課題】
【０００３】
ところで、ユーザが気に入った表示媒体を繰り返し注文することが想定されるが、その度に同じ注文を入力させるのは不便である。この点、上述の情報システムでは、再注文の手段について何ら開示されていない。また、再注文を行う際にいちいちパソコンを起動するのは面倒である。本発明はこのような問題点に鑑みてなされたもので、画像とコンテンツへのアクセス情報を埋め込んだ二次元コードをプリントした写真プリントの再注文を携帯通信端末から簡単に行うことを可能にするシステムを提供することを目的とする。
【課題を解決するための手段】
【０００４】
上述の課題を解決するため、本願発明に係る注文管理システムは、音声を含むコンテンツにアクセスするためのアクセス情報が埋め込まれた二次元コードが元画像とともにプリントされた写真プリントを注文するための注文内容情報を写真プリントの再注文用に管理する注文管理システムであって、元画像とコンテンツとを対応づけた注文内容情報の入力を受け付ける注文受付部と、注文者の使用する携帯通信端末のアドレスの登録を受け付ける登録部と、元画像を携帯通信端末で閲覧可能なように所定の縮小率で縮小した縮小画像を作成する第１作成部と、写真プリントの注文者を識別する注文者識別情報と注文内容情報と注文内容情報を一意に識別する注文識別情報と縮小画像とを対応づけた注文情報を記憶する第１記憶部と、注文者識別情報と登録された携帯通信端末のアドレスとを対応づけた注文者情報を記憶する第２記憶部と、携帯通信端末から注文者識別情報の指定を受け付ける注文者識別情報指定部と、指定された注文者識別情報を含む注文情報を第１記憶部から抽出する注文情報抽出部と、抽出された注文情報の一部又は全部を携帯通信端末で一覧表示させる一覧情報を作成する第２作成部と、指定された注文者識別情報に対応するアドレスを第２記憶部から特定するアドレス特定部と、一覧情報を特定されたアドレスに送信する第１送信部と、携帯通信端末に送信された一覧情報の中から注文情報の指定を受け付ける注文情報指定部と、指定された注文情報に含まれる縮小画像を特定されたアドレスに送信する第２送信部と、縮小画像の選択に応じて縮小画像に対応するコンテンツを携帯通信端末に送信する第２送信部と、を備える。
【０００５】
この注文管理システムによると、パソコンなどから注文情報を入力した注文者が携帯電話機やＰＤＡなどの携帯通信端末のアドレスを登録しておけば、後で携帯通信端末を用いて自分の入力した注文情報を受信して画像を閲覧でき、またその画像に対応するコンテンツも受信できるため、どの画像とどのコンテンツが対応した写真プリントを注文したのかを携帯通信端末で容易に確認できる。
【０００６】
本願発明に係る注文管理システムは、指定された注文情報の変更を携帯通信端末から受け付ける変更受付部と、変更に従って第１記憶部の注文情報を更新する更新部とをさらに備えてもよい。
【０００７】
即ち、携帯通信端末から注文情報の変更を行うことができる。
【０００８】
特に、変更受付部はコンテンツの再生期間の変更を受け付けてもよい。
【０００９】
本願発明に係る注文管理システムは、指定された注文情報に従ってプリントする写真プリントの枚数の指定を携帯通信端末から受け付ける枚数指定部をさらに備えてもよい。
【００１０】
注文受付部はテンプレート画像の指定を受け付け、注文情報は指定されたテンプレート画像の識別情報を含み、第１作成部は注文情報によって対応する元画像と指定されたテンプレート画像とを合成した合成画像を所定の縮小率で縮小した縮小画像を作成してもよい。
【発明の効果】
【００１１】
本願発明に係る注文管理システムによると、パソコンなどから注文情報を入力した注文者が携帯電話機のアドレスを登録しておけば、後で携帯電話機やＰＤＡなどの携帯通信端末を用いて自分の入力した注文情報を受信して画像を閲覧でき、またその画像に対応するコンテンツも受信できるため、どの画像とどのコンテンツが対応した写真プリントを注文したのかを携帯通信端末で容易に確認できる。
【発明を実施するための最良の形態】
【００１２】
以下、添付した図面を参照し本発明の好ましい実施の形態を説明する。
【００１３】
［概略構成］
図１は、本発明の好ましい実施形態に係る配信システムの概略機能構成図である。このシステムは、パソコン１と、写真プリント注文管理サーバ２（以下単に注文管理サーバ２という）と、配信管理サーバ８と、ＣＴＩ（Computer Telephony Integration）サーバ９とがネットワーク３を介して接続されてなる。図１では、パソコン１は１つしか図示していないが、複数のパソコン１を注文管理サーバ２に接続する態様も可能である。即ち、注文管理サーバ２には認証部２８が備えられており、パソコン１から入力された写真プリントの注文者の一意的な識別情報（説明の簡略のためユーザＩＤとするが、携帯電話機６の電話番号やユーザの指紋情報などであってもよい）で各パソコン１の注文管理サーバ２への接続を認証する。このため、複数のパソコン１が接続された場合も、その各々を識別することが可能である。パソコン１はＷｅｂブラウザ１１を備えており、キーボードやマウスなどで構成される操作部１３から入力されたＵＲＬ（Unique Resource Locator）で特定されるＷｅｂページの送信をＷｅｂサーバ２１に要求し、受信したＷｅｂページを表示装置１２の表示画面に表示する。
【００１４】
携帯電話機６は、注文管理サーバ２に認証されたパソコン１を使用するユーザやその他のユーザが使用する。携帯電話機６は、ＱＲコードなどの二次元コードに埋め込まれている情報を読み取るコードリーダ６１とＬＣＤなどで構成された表示部６２を備えている。本明細書では簡略のため、二次元コードの一例としてＱＲコードを用いて説明するが、ＱＲコードの代わりに、ＰＤＦ４１７・データコード・マキシコードなどの各種二次元コードを用いてもよい。携帯電話機６がバーコードを読み取る手段を備えていれば二次元コードの代わりにバーコードを用いてもよい。
【００１５】
配信管理サーバ８は、音声ファイル変換部８２と、通信部８１と、音声アプリデータベース（音声アプリＤＢ）８３を備えている。通信部８１はネットワーク３と接続されており、音声アプリＤＢ８３は、通信部８１が注文管理サーバ２又はＣＴＩサーバ９から受信した音声ファイルを一時記憶する。
【００１６】
音声ファイル変換部８２は、音声ＤＢ９３の音声ファイルを、携帯電話機６で再生可能なフォーマット（以下再生用フォーマットという）の音声ファイルに変換して音声ＤＢ９３に記憶する。携帯電話機６の機種に固有の再生用フォーマットが複数存在する場合、各機種に固有の再生用フォーマットに変換する。この再生用フォーマットの音声ファイルは、Ｊａｖａ（登録商標）など携帯電話機６で実行可能な言語で記述されたアプリケーションである。再生用フォーマットの音声ファイルは、後述の音声再生期間が経過すると音声アプリＤＢ８３から削除される。
【００１７】
通信部８１は、アクセス情報に従ってアクセスしてきた携帯電話機６に対し、そのアクセス情報で特定される格納位置に格納された音声ファイルを音声アプリＤＢ８３から取得して携帯電話機６に送信（ダウンロード）する。
【００１８】
ＣＴＩサーバ９は、通信部９０と、録音部９１と、再生部９２と、音声ＤＢ９３とを備えている。通信部９０は、移動体電話通信網の基地局５及びネットワーク３と接続し、注文管理サーバ２、配信管理サーバ８、あるいは携帯電話機６との間で通話音声や各種データの通信を行う。通信部９０には所定の電話番号が付与されている。録音部９１は、通信部９０の受信した通話音声をＷＡＶファイルなどの音声ファイルに記録し、この音声ファイルを音声ＤＢ９３に記憶する。この音声ファイルは、後述の音声再生期間が経過すると音声ＤＢ９３から削除される。再生部９２は、音声ＤＢ９３の音声ファイルから通話音声を再生し、通信部９０を介して所定の電話番号に着信してきた携帯電話機６その他の各種電話機にその通話音声を送信する。録音部９１と再生部９２は、通信部９０の所定の電話番号に着信した各種電話機から入力されるプッシュトーン信号で録音／再生の指示を受け付け、録音が指示された場合は電話機から送信された音声を録音し、再生が指示された場合は音声ＤＢ９３の特定の音声ファイルから通話音声を再生して電話機に送信するようにしてもよい。
【００１９】
注文管理サーバ２は、音声や画像などのコンテンツにアクセスするためのアクセス情報が埋め込まれた二次元コードをコード発行部２９で発行し、パソコン１からアップロードされた画像とともに二次元コードをプリントした写真プリントの注文を受け付けて管理するサーバである。説明の簡略のため本実施形態ではコンテンツは音声とするが、動画などであってもよい。注文管理サーバ２は、ＣＰＵで構成される制御部２０、Ｗｅｂサーバ２１、複数のデータベース（ＤＢ）を含むデータベース群２２及びコード発行部２９を備えている。
【００２０】
本明細書では特に詳説しないが、ＭＤＢ２２ａに記憶された注文情報を用いれば、写真プリント用画像にコンテンツへのアクセス情報が埋め込まれた二次元コードを添付した写真プリントを作成することができる。制御部２０、Ｗｅｂサーバ２１、ＤＢ群２２、コード発行部２９は互いにバス３０を介して接続されており、制御部２０は各部の動作制御を行う。Ｗｅｂサーバ２１はパソコン１から音声ファイルのアップロードも受け付ける。
【００２１】
図２に示すように、ＤＢ群２２は、注文ＤＢ２２ａ、画像ＤＢ２２ｂ、音声管理ＤＢ２２ｃ、ユーザＤＢ２２ｄ及びテンプレートＤＢ２２ｅを含む。図３〜７はＤＢ群２２に記憶される情報の概念説明図である。
【００２２】
図３に示すように、注文ＤＢ２２ａは、パソコン１から送信される注文内容情報と、注文内容情報を一意に識別する注文ＩＤと、注文者を一意に識別するユーザＩＤとが対応した注文情報を記憶する。注文内容情報は、写真プリントを注文するために注文者がパソコン１から入力する情報であり、注文者がパソコン１から注文管理サーバ２に任意にアップロードした元画像を特定する情報である元画像ＩＤと注文者がＣＴＩサーバ９によって任意に録音した音声を特定する情報である音声ＩＤとを対応づけている。注文内容情報は、注文内容情報を注文管理サーバ２へ送信した日時である注文日時、元画像と合成するテンプレートを特定するテンプレートＩＤ、音声の再生期間、写真プリントの注文枚数を対応づけている。
【００２３】
図４に示すように、画像ＤＢ２２ｂはユーザＩＤと元画像ＩＤと元画像とサムネイル画像を対応づけて記憶する。サムネイル画像は、携帯電話機６の表示装置で元画像（あるいは元画像とテンプレート画像を合成した合成画像）を閲覧可能にするために元画像あるいは合成画像を所定の縮小率で縮小した画像である。ユーザＩＤは認証部２８がパソコン１から取得する。
【００２４】
図５に示すように、音声管理ＤＢ２２ｃは、音声ＩＤと音声へのアクセス情報が埋め込まれたＱＲコードの画像とが対応して記憶される。ＱＲコードには、音声アプリＤＢ８３あるいは音声ＤＢ９３にアクセスして記憶された音声ファイルあるいはその音声ファイルの再生音声を受信するためのアクセス情報が埋め込まれている。ＱＲコードは写真プリント用画像に添付されてプリントされるため、jpegファイルなどの画像ファイルとしてＭＤＢ２２ａに記憶される。
【００２５】
図６に示すように、ユーザＤＢ２２ｄには、ユーザＩＤと携帯電話機６に割り当てられた電子メールアドレスとが対応づけられて記憶されている。後述するように、電子メールアドレスは注文者が任意に登録できる。
【００２６】
図７に示すように、テンプレートＤＢ２２ｅには、テンプレートＩＤとテンプレート画像とが対応づけられて記憶されている。テンプレートＤＢ２２ｅに記憶されたテンプレート画像は、パソコン１の操作部１３の操作でいずれか１つを任意に選択できる。テンプレート画像の作成元は特に限定する必要はないが、認証部２８で認証を受けたプリント注文者とは別のコンテンツ提供者が用いるパソコンであるコンテンツ提供者端末７から、独自に作成したテンプレート画像をテンプレートＤＢ２２ｅに記憶してもらうようにしてもよい。この際、コンテンツ提供者はテンプレートＤＢ２２ｅの利用料を注文管理サーバ２の管理者に支払い、パソコン１からのプリント注文の数などに応じて所定の報酬を得るようにしてもよい。
【００２７】
［処理の流れ］
（注文処理）
以下、図８のフローチャートに基づき、配信システムの実行する注文処理の流れを説明する。
【００２８】
Ｓ１では、注文管理サーバ２は、アクセスしたパソコン１から送信されたユーザＩＤでパソコン１を認証する。以下、パソコン１は認証を受けたユーザＩＤで識別される。ユーザＩＤでパソコン１を認証すると、注文管理サーバ２は携帯電話機６のメールアドレスの登録をパソコン１から受け付ける。パソコン１から入力されたメールアドレスはユーザＩＤと対応づけられてユーザＤＢ２２ｄに記憶される。
【００２９】
Ｓ２では、注文管理サーバ２は、テンプレートＤＢ２２ｅに記憶されたテンプレート画像を一覧表示するＷｅｂページをパソコン１に送信し、一覧表示されたテンプレート画像からいずれか１つを選択させる。図９はテンプレート画像を一覧表示するＷｅｂページの一例である。この図では一例として、テンプレート画像Ｔ１〜Ｔ３が表示されている。パソコン１では、テンプレート画像Ｔ１〜Ｔ３のクリックなど、操作部１３の操作でテンプレート画像の選択を受け付け、選択されたテンプレート画像の識別子を注文管理サーバ２に通知する。以下の説明では一例としてテンプレート画像Ｔ１が選択されたものとする。
【００３０】
Ｓ３では、注文管理サーバ２は、パソコン１から写真プリント用画像のアップロードを受け付ける。図１０に示すように、写真プリント用画像のアップロードは、Ｗｅｂサーバ２１からパソコン１に送信したＷｅｂページから受け付けることができる。即ち、このページで「参照」ボタン５２を押下することで、パソコン１に保存されている画像を選択することができ、この選択をもってアップロードすべき画像を指定する。指定が完了するとパソコン１は指定された画像を注文管理サーバ２に送信する。なお、このページには、Ｓ２で選択されたテンプレート画像を確認できるように拡大表示させている。パソコン１からアップロードされた画像はＳ１で認証されたユーザＩＤと対応づけられて画像ＤＢ２２ｂに記憶される。
【００３１】
Ｓ４では、注文管理サーバ２は、写真プリント用画像に添付する音声を変更するか否かの指定を受け付ける。変更する指定がされた場合はＳ５に移行する。変更する指定がされなかった場合、Ｓ２で選択されたテンプレート画像に対応して予め記憶されている所定のテンプレート音声ファイルをテンプレートＤＢ２２ｅから取得し、Ｓ１で認証されたユーザＩＤと取得した音声ファイルとを対応させて配信管理サーバ８に送信する。配信管理サーバ８は、受信したユーザＩＤと音声ファイルとを対応づけて音声アプリＤＢ８３に記憶し、Ｓ８に移行する。変更する指定は、例えば図１０に示すＷｅｂページで、「変更」ボタン５１が押下されたか否かで受け付けることができる。
【００３２】
Ｓ５では、注文管理サーバ２は、写真プリント用画像に対応させる音声を、パソコン１からアップロードするフォーマットの音声ファイルとするか否かの指定を受け付ける。パソコン１から音声ファイルが指定された場合、指定された音声ファイルのアップロードをパソコン１から受け付け、アップロードされた音声ファイルをユーザＩＤと対応させて配信管理サーバ８に送信する。配信管理サーバ８は、受信したユーザＩＤと音声ファイルとを対応づけて音声アプリＤＢ８３に記憶し、Ｓ８に移行する。一方、パソコン１から音声ファイルが指定されなかった場合、Ｓ６に移行する。これらの指定は、図１１に示すようなＷｅｂページから受け付けることができる。即ち、「参照」ボタン７１が押下されると、パソコン１に保存されている音声ファイルを選択することができ、この選択をもってアップロードすべき音声ファイルを指定する。指定が完了すると、パソコン１は指定された音声ファイルを注文管理サーバ２に送信する。「参照」ボタン７１が押下されない場合はＳ６に移行する。
【００３３】
Ｓ６では、注文管理サーバ２は、写真プリント用画像に対応させる音声を、録音部９１で録音した音声とするか否かの指定を受け付ける。この指定がされた場合はＳ７に移行し、指定されなかった場合はＳ５に戻る。この指定は、図１１のＷｅｂページで、「完了」ボタン７２が押下されたか否かで受け付けることができる。なお、図１１のＷｅｂページには、通信部９０に付与された所定の電話番号７３が表示されており、録音部９１がこの電話番号７３に接続した電話の通話音声を音声ファイルに変換して音声ＤＢ９３に記憶する。録音部９１は、この音声ファイルとＳ１で認証したユーザＩＤとを対応づけて記憶しており、どの音声ファイルがどのユーザＩＤと対応しているかを管理している。
【００３４】
Ｓ７では、通信部９０は、Ｓ１で認証したユーザＩＤに対応する音声ファイルを音声ＤＢ９３から取得し、このユーザＩＤと取得した音声ファイルとを対応させて配信管理サーバ８に送信する。配信管理サーバ８は、受信した音声ファイルとユーザＩＤを対応させて音声アプリＤＢ８３に記憶する。
【００３５】
Ｓ８では、音声ファイル変換部８２は、Ｓ１で認証したユーザＩＤに対応する音声ファイルを音声アプリＤＢ８３から取得し、この音声ファイルを携帯電話機６で再生可能な音声ファイルに変換する。変換された再生用フォーマットの音声ファイルはユーザＩＤに対応づけられて音声アプリＤＢ８３に記憶される。
【００３６】
Ｓ９では、コード発行部２９は、Ｓ８で音声アプリＤＢ８３に記憶された再生用フォーマットの音声ファイルへのアクセス情報を埋め込んだＱＲコードを発行し、このＱＲコードをＳ１で認証したユーザＩＤ及び一意的な音声ＩＤと対応づけて音声管理ＤＢ２２ｃに記憶する。
【００３７】
Ｓ１０では、注文管理サーバ２は、Ｓ３でアップロードされたプリント用画像とＳ２で選択されたテンプレート画像とを合成した合成画像に、Ｓ９で発行したＱＲコードを添付した写真プリントをプレビュー表示させるＷｅｂページをパソコン１に送信する。図１２はプレビュー表示の一例である。この図のＷｅｂページには、Ｓ２で選択されたテンプレート画像とＳ３でアップロードされたプリント用画像とを合成した合成画像５６に、Ｓ９で発行したＱＲコードの縮小画像５５が添付された写真プリントのプレビュー画像５７が表示される。なお、この画面では、「聞く」ボタン５４を押下することで、Ｓ１で認証したユーザＩＤに対応する音声ファイルを音声ＤＢ９３からパソコン１にダウンロードして再生することができる。このため、写真プリントに添付する音声をパソコン１で確認できる。
【００３８】
Ｓ１１では、注文管理サーバ２は、パソコン１の表示装置１２の表示画面でコードリーダ６１がアクセス情報を読み取れるようなサイズで発行したＱＲコードを送信するよう要求されたか否かを判断する。要求された場合はＳ１２に移行し、要求されない場合はＳ１３に移行する。この要求は、プレビュー画像５７のＱＲコードの縮小画像５５をクリックなどで指定することでパソコン１から注文管理サーバ２に送信することができる。
【００３９】
Ｓ１２では、注文管理サーバ２は、パソコン１の表示装置１２の表示画面でコードリーダ６１がアクセス情報を読み取れるようなサイズに拡大したＱＲコードの画像をパソコン１に送信する。図１３に示すように、表示装置１２の表示画面に表示されたＱＲコードの画像５５’は、携帯電話機６のコードリーダ６１からアクセス情報を読み取ることができるサイズである。
【００４０】
Ｓ１３では、配信管理サーバ８は、携帯電話機６が画像５５’に埋め込まれたアクセス情報あるいは写真プリントに添付されたＱＲコードのアクセス情報を読み取り、そのアクセス情報で特定される音声アプリＤＢ８３の音声ファイルのダウンロードを要求してきたか否かを判断する。ダウンロードが要求された場合はＳ１４に移行し、Ｓ１４では、配信管理サーバ８は要求された再生用フォーマットの音声ファイルを音声アプリＤＢ８３から取得して携帯電話機６にダウンロードする。ダウンロードが要求されない場合はＳ１５に移行する。なお、画像５５’に埋め込まれたアクセス情報が音声ＤＢ９３の音声ファイルを指している場合、再生部９２はそのアクセス情報に基づいて音声を再生し、通話音声として携帯電話機６に送信する。
【００４１】
Ｓ１５では、ＱＲコードの添付された写真プリントの印刷枚数（数量）の指定を受け付けた上、これを印刷するか否かの指示をパソコン１から受け付ける。印刷する指示を受け付けた場合はＳ１６へ移行し、印刷しない指示を受け付けた場合は本処理を終了する。Ｓ１６では、制御部２０は注文代金の決済処理などを適宜行った後、Ｓ３でアップロードされたプリント用画像とＳ２で選択されたテンプレート画像とを合成した合成画像に、Ｓ９で発行したＱＲコードを添付した写真プリントを印刷するための印刷データを作成してプリンタ３２に出力する。プリンタ３２は印刷データに基づいてＱＲコードを添付した写真プリント（以下、ＱＲコード添付プリントという）を印刷する。プリンタ３２がＱＲコード添付プリントの印刷を正常に完了すると、制御部２０は注文ＤＢ２２ａの「枚数」を０に更新する。
【００４２】
（再注文処理）
以下、図１４のフローチャートに基づき、配信システムの実行する再注文処理の流れを説明する。
【００４３】
Ｓ２１では、携帯電話機６からユーザＩＤを注文管理サーバ２に送信する。Ｓ２２では、注文管理サーバ２は、携帯電話機６から送信されたユーザＩＤで携帯電話機６を認証する。以下、携帯電話機６は認証を受けたユーザＩＤで識別される。
【００４４】
Ｓ２３では、制御部２０は認証したユーザＩＤに対応する注文内容情報を注文ＤＢ２２ａから抽出する。次に、制御部２０は、抽出された注文内容情報の一部（後述の注文日時など）又は全部を携帯電話機６で一覧表示させる一覧情報をHTML（Hypertext Markup Language）ファイルなどで作成する。そして、制御部２０は、一覧情報を携帯電話機６に送信する。携帯電話機６は、受信した一覧情報を表示部６２に表示する。図１５は一覧情報の表示例である。この図に示すように、一覧情報は、Ｓ２１で認証されたユーザＩＤで識別される注文者がこれまでの注文日時を古いものから順に並べたリストであり、注文の履歴を簡略に表示している。一覧情報の注文日時には、その注文情報と対応する注文ＩＤが埋め込まれており、注文者は、この一覧情報の中からいずれかの注文日時を指定することで、その注文日時に対応する注文ＩＤの指定を行う。図１５では、「２００４年７月３０日  １５：００」の注文日時が指定されている。
【００４５】
Ｓ２５では、携帯電話機６は指定された注文日時に対応する注文ＩＤ（以下指定注文ＩＤという）を注文管理サーバ２に通知する。図１５では、「２００４年７月３０日  １５：００」の注文日時が指定されているため、注文情報において上記注文日時と対応する注文ＩＤ「0001」が注文管理サーバ２に通知される。
【００４６】
Ｓ２６では、制御部２０は、通知された注文ＩＤに対応する元画像ＩＤ及び音声ＩＤを注文ＤＢ２２ａから特定する。以下この音声ＩＤを指定音声ＩＤという。次に、制御部２０は、特定した元画像ＩＤに対応するサムネイル画像を画像ＤＢ２２ｂから特定する。そして、制御部２０は、サムネイル画像の選択表示とＳ２５で通知された注文ＩＤに対応する注文内容情報の一部又は全部の変更を受け付ける変更受付画面を作成して携帯電話機６に送信する。
【００４７】
Ｓ２７では、携帯電話機６は受信した変更受付画面を表示部６２に表示する。図１６は変更受付画面の表示例である。この図に示すように、変更受付画面は、特定したサムネイル画像ＩＭと、注文内容情報のどの項目を変更するかを選択するためのドロップダウンリストＤＬ、ドロップダウンリストＤＬで選択した項目を確定する「ＯＫ」ボタン６３、既存の注文情報を変更せず同じ内容で追加のプリント注文を行う「焼増注文」ボタン６４、及び全ての操作を終了する「終了」ボタン６５が表示されている。変更受付画面のサイズに余裕があれば、Ｓ２５で指定した注文ＩＤに対応する注文内容情報の一部（再生期間など）を変更受付画面に表示してもよい。この画面でサムネイル画像ＩＭの選択を受け付けると、携帯電話機６は指定音声ＩＤを注文管理サーバ２に通知する。この画面のドロップダウンリストＤＬで項目を選択し「ＯＫ」ボタン６３を押すと、携帯電話機６はドロップダウンリストＤＬで選択された項目を注文管理サーバ２に通知する。
【００４８】
Ｓ２８では、携帯電話機６は変更受付画面でサムネイル画像が選択されたか否かを判断する。サムネイル画像が選択された場合はＳ２９に移行し、サムネイル画像が選択されなかった場合はＳ２９に移行する。Ｓ２９では、携帯電話機６は指定音声ＩＤを注文管理サーバ２に通知する。Ｓ３０では、制御部２０は、指定音声ＩＤで特定されるＱＲコードを音声管理ＤＢ２２ｃから抽出して携帯電話機６に送信する。Ｓ３１では、携帯電話機６は受信したＱＲコードに基づいて配信管理サーバ８あるいはＣＴＩサーバ９にアクセスし、指定音声ＩＤに対応する音声ファイルをダウンロードして再生するか、あるいはその音声ファイルを再生部９２で再生した通話音声を受信する。
【００４９】
Ｓ３２では、ドロップダウンリストＤＬで項目を選択し「ＯＫ」ボタン６３を押したか否かを判断し、項目を選択し「ＯＫ」ボタン６３が押下された場合はＳ３３に、「ＯＫ」ボタン６３が押下されない場合はＳ３８に移行する。ドロップダウンリストＤＬを選択すると、図１７のように、ドロップダウンリストＤＬで選択できる項目が表示部６２に一覧表示される。図１７では、再生期間を変更する際に選択する項目である「期間延長」及び音声を変更する際に選択する項目である「音声変更」が表示されている。
【００５０】
Ｓ３３では、ドロップダウンリストＤＬからいずれかの項目を選択して「ＯＫ」ボタン６３を押下すると、携帯電話機６は選択された項目を注文管理サーバ２に通知する。Ｓ３４では、注文管理サーバ２は通知された項目に対応する注文情報の変更内容を入力する変更入力画面を携帯電話機６に送信する。図１８は変更入力画面の一例である。このうち、図１８（ａ）はドロップダウンリストＤＬから「音声変更」が選択された場合に送信される変更入力画面（音声変更画面）であり、図１８（ｂ）はドロップダウンリストＤＬから「期間延長」が選択された場合に送信される変更入力画面（期間延長画面）である。音声変更画面には、通信部９０へ接続する電話番号が記載されている。携帯電話機６がこの電話番号によって通信部９０へ接続し、通話音声を通信部９０に送信すると、録音部９１は通信部９０の受信した通話音声を音声ファイルに記録し、この音声ファイルと指定音声ＩＤと指定音声ＩＤとを対応づけて音声ＤＢ９３に更新記憶する。指定音声ＩＤと対応する以前の音声ファイルは上書きされる。
【００５１】
Ｓ３５では、携帯電話機６は変更入力画面を表示部６２に表示して注文情報の変更入力を受け付ける。例えば、図１８（ｂ）では再生期間を「２００４年１２月２５日まで」に変更するような入力がされている。再生期間の入力後「ＯＫ」ボタンが押下されるとＳ３６に移行して入力された再生期間と指定注文ＩＤとが携帯電話機６から注文管理サーバ２に通知される。Ｓ３７では、注文管理サーバ２は、指定注文ＩＤに対応する再生期間を通知された再生期間に更新する。図示しないが、注文内容情報に含まれる再生期間以外の項目（テンプレートＩＤなど）の変更入力画面を注文管理サーバ２から携帯電話機６へ送信し、変更入力画面から該項目の変更入力を受け付け、入力内容と指定注文ＩＤを携帯電話機６から注文管理サーバ２へ通知し、注文管理サーバ２は指定注文ＩＤに対応する項目を通知された内容に更新することも可能である。
【００５２】
Ｓ３８では、携帯電話機６は「焼増注文」ボタン６４の押下に応じてプリント枚数の指定を受け付ける枚数指定画面の送信を注文管理サーバ２に要求する。Ｓ４０では、注文管理サーバ２はこの要求に応じて枚数指定画面を携帯電話機６に送信する。携帯電話機６は枚数指定画面を受信すると表示部６２に表示する。図１９は枚数指定画面の表示例である。
【００５３】
Ｓ４１では、携帯電話機６は枚数指定画面からプリント枚数の指定を受け付け、指定が完了すると指定されたプリント枚数と指定注文ＩＤとを注文管理サーバ２に通知する。
【００５４】
Ｓ４２では、注文管理サーバ２は通知された指定注文ＩＤに対応するプリント枚数を通知されたプリント枚数に更新して注文ＤＢ２２ａに記憶する。制御部２０は注文代金の決済処理などを適宜行った後、指定注文ＩＤに対応する注文情報に基づいて印刷データを作成してプリンタ３２に出力する。プリンタ３２は印刷データに基づいてＱＲコード添付プリントを印刷する。プリンタ３２がＱＲコード添付プリントの印刷を正常に完了すると、制御部２０は指定注文ＩＤに対応する注文情報の「枚数」を０に更新して注文ＤＢ２２ａに記憶する。
【００５５】
以上説明したように、この配信システムによると、パソコン１から注文内容情報を入力した注文者が携帯電話機６のアドレスを登録しておけば、後で携帯電話機６を用いて一覧情報を受信し、一覧情報の注文日時を指定してサムネイル画像を閲覧でき、またその画像に対応する音声も受信できるため、どの画像とどのコンテンツが対応した写真プリントを注文したのかを携帯通信端末で容易に確認できる。
【図面の簡単な説明】
【００５６】
【図１】本発明の好ましい実施形態に係る配信システムの概略機能構成図
【図２】ＤＢ群に含まれるＤＢを示す図
【図３】注文ＤＢに記憶される情報の概念説明図
【図４】画像ＤＢに記憶される情報の概念説明図
【図５】音声管理ＤＢに記憶される情報の概念説明図
【図６】ユーザＤＢに記憶される情報の概念説明図
【図７】テンプレートＤＢに記憶される情報の概念説明図
【図８】注文処理の流れを示すフローチャート
【図９】テンプレート画像を一覧表示するＷｅｂページの一例を示す図
【図１０】写真プリント用画像のアップロードを受け付けるＷｅｂページの一例を示す図
【図１１】アップロードすべき音声ファイルを指定あるいは録音音声の音声ファイルへの変換を指定するＷｅｂページの一例を示す図
【図１２】写真プリントをプレビュー表示させるＷｅｂページの一例を示す図
【図１３】コード読取部からアクセス情報を読み取ることができるサイズで表示装置に表示されたＱＲコードの一例を示す図
【図１４】再注文処理の流れを示すフローチャート
【図１５】一覧情報の表示例を示す図
【図１６】変更情報受付画面の表示例を示す図
【図１７】変更情報受付画面におけるドロップダウンリストの表示例を示す図
【図１８】変更入力画面の一例を示す図
【図１９】枚数指定画面の一例を示す図
【符号の説明】
【００５７】
１：パソコン、２：写真プリント注文管理サーバ、８：配信管理サーバ、９：ＣＴＩサーバ
【図１】
2006085589.tif 000003
【図２】
2006085589.tif 000004
【図３】
2006085589.tif 000005
【図４】
2006085589.tif 000006
【図５】
2006085589.tif 000007
【図６】
2006085589.tif 000008
【図７】
2006085589.tif 000009
【図８】
2006085589.tif 000010
【図９】
2006085589.tif 000011
【図１０】
2006085589.tif 000012
【図１１】
2006085589.tif 000013
【図１２】
2006085589.tif 000014
【図１３】
2006085589.tif 000015
【図１４】
2006085589.tif 000016
【図１５】
2006085589.tif 000017
【図１６】
2006085589.tif 000018
【図１７】
2006085589.tif 000019
【図１８】
2006085589.tif 000020
【図１９】
2006085589.tif 000021